(57)【特許請求の範囲】
【請求項１】
上向きに開口する吸入溝を有するクリーニングヘッドを有し、クリーニング時にスクリーンマスクの下面にクリーニングぺーパを介して前記クリーニングヘッドを当接させて前記吸入溝から空気を該クリーニングヘッド内に吸入することで、前記スクリーンマスクの付着物を前記クリーニングぺーパ側に吸引しながら前記クリーニングヘッドを前記スクリーンマスクの下面に沿って移動させて、前記スクリーンマスクの付着物を前記クリーニングぺーパで拭き取るスクリーンマスク用クリーニング装置において、
使用するクリーニングぺーパの幅に応じて前記吸入溝の上端開口を閉鎖する部分の長さを調整可能に構成し、
前記クリーニングヘッドには、クリーニング時に前記スクリーンマスクの下面に前記クリーニングぺーパを介して当接させるクリーニング部材を設けると共に、使用するクリーニングぺーパの幅に応じて前記クリーニング部材の長さを調整可能に構成し、
使用するクリーニングぺーパの幅に応じて前記吸入溝の上端開口を閉鎖する部分の長さを調整することで前記クリーニング部材の長さを調整することを特徴とするスクリーンマスク用クリーニング装置。
【請求項２】
前記吸入溝に沿って設ける部材を複数の分割部材に分割したことを特徴とする請求項１に記載のスクリーンマスク用クリーニング装置。
【請求項３】
前記複数の分割部材のうち、前記吸入溝の端の方に位置する少なくとも１つの分割部材の取付方向を変更することで前記吸入溝の上端開口を閉鎖する部分の長さを調整することを特徴とする請求項２に記載のスクリーンマスク用クリーニング装置。
【請求項４】
上向きに開口する吸入溝を有するクリーニングヘッドを有し、クリーニング時にスクリーンマスクの下面にクリーニングぺーパを介して前記クリーニングヘッドを当接させて前記吸入溝から空気を該クリーニングヘッド内に吸入することで、前記スクリーンマスクの付着物を前記クリーニングぺーパ側に吸引しながら前記クリーニングヘッドを前記スクリーンマスクの下面に沿って移動させて、前記スクリーンマスクの付着物を前記クリーニングぺーパで拭き取るスクリーンマスク用クリーニング装置において、
前記クリーニングヘッドは、２本のクリーニング部材の間に前記吸入溝を形成し、一方のクリーニング部材を支持する支持部材を、複数の分割部材に分割すると共に、前記吸入溝の端の方に位置する少なくとも１つの分割部材の取付方向を、前記吸入溝を形成する第１の取付方向と、前記吸入溝のうちの前記分割部材の長さ分を閉鎖する第２の取付方向とに変更可能に構成し、前記分割部材の取付方向を前記第１の取付方向と前記第２の取付方向のいずれかに変更することで、前記吸入溝の上端開口を閉鎖する部分の長さを調整することを特徴とするスクリーンマスク用クリーニング装置。
【発明の詳細な説明】
【技術分野】
【０００１】
本発明は、スクリーンマスクをクリーニングするスクリーンマスク用クリーニング装置に関する発明である。
【背景技術】
【０００２】
回路基板等にスクリーン印刷する際に用いるスクリーンマスクは、印刷回数が増えるに従って、スクリーンマスクの開口部内に半田等の印刷材料の残り滓が堆積して開口部が目詰りしたり、開口部の下面側周辺部分が印刷材料の残り滓で汚れたりして、印刷品質が低下するため、スクリーンマスクの開口部内やその下面側周辺部分に付着した印刷材料の残り滓を定期的に取り除く必要がある。
【０００３】
そこで、例えば、特許文献１（特許第３２７２６１２号公報）、特許文献２（特開平１１−５８６７８号公報）、特許文献３（特開２００９−１２４１０号公報）に記載されているように、スクリーン印刷機に、上向きに開口する吸入溝を有するクリーニングヘッドを搭載し、スクリーンマスクの下面にクリーニングぺーパを介して前記クリーニングヘッドを当接させて前記吸入溝から空気を該クリーニングヘッド内に吸入することで、前記スクリーンマスクの開口部内に付着した印刷材料の残り滓を前記クリーニングぺーパ側に吸引しながら前記クリーニングヘッドを前記スクリーンマスクの下面に沿って移動させて、前記スクリーンマスクの開口部内やその下面側周辺部分に付着した印刷材料の残り滓を前記クリーニングぺーパで拭き取るようにしたものがある。
【先行技術文献】
【特許文献】
【０００４】
【特許文献１】特許第３２７２６１２号公報
【特許文献２】特開平１１−５８６７８号公報
【特許文献３】特開２００９−１２４１０号公報
【発明の概要】
【発明が解決しようとする課題】
【０００５】
ところで、同一サイズのスクリーンマスクで、複数種のサイズの回路基板等をスクリーン印刷可能であり、小さいサイズの回路基板等をスクリーン印刷する場合は、スクリーンマスクに印刷材料の残り滓が付着する部分も小さくなる。
【０００６】
しかし、従来は、クリーニングヘッドの吸入溝の幅に合わせた幅のクリーニングぺーパが１種類あるだけであるため、小さいサイズの回路基板等をスクリーン印刷する場合は、印刷材料の残り滓が付着していない部分（クリーニングする必要がない部分）までも、クリーニングすることになってしまい、無駄が生じる。
【０００７】
そこで、本出願人は、幅の異なる複数種のクリーニングぺーパを準備して、スクリーン印刷する回路基板等の幅に応じて、使用するクリーニングぺーパの幅を選択すると共に、クリーニングヘッドの吸入溝の両側に設けられたクリーニング部材（スポンジ等の弾性材料）をクリーニングぺーパの幅に応じて切除して短くすることを考えている。しかし、クリーニング部材を切除しただけでは、その切除された部分が開口されてクリーニング時に吸入圧が逃げてしまい、十分なクリーニング能力が得られなくなる。
【０００８】
そこで、本発明が解決しようとする課題は、クリーニングぺーパの無駄を低減できると共に、十分なクリーニング能力を確保できるスクリーンマスク用クリーニング装置を提供することにある。
【課題を解決するための手段】
【０００９】
上記課題を解決するために、請求項１に係る発明は、上向きに開口する吸入溝を有するクリーニングヘッドを有し、クリーニング時にスクリーンマスクの下面にクリーニングぺーパを介して前記クリーニングヘッドを当接させて前記吸入溝から空気を該クリーニングヘッド内に吸入することで、前記スクリーンマスクの付着物を前記クリーニングぺーパ側に吸引しながら前記クリーニングヘッドを前記スクリーンマスクの下面に沿って移動させて、前記スクリーンマスクの付着物を前記クリーニングぺーパで拭き取るスクリーンマスク用クリーニング装置において、使用するクリーニングぺーパの幅に応じて吸入溝の上端開口を閉鎖する部分の長さを調整可能に構成し、前記クリーニングヘッドには、クリーニング時に前記スクリーンマスクの下面に前記クリーニングぺーパを介して当接させるクリーニング部材を設けると共に、使用するクリーニングぺーパの幅に応じて前記クリーニング部材の長さを調整可能に構成し、使用するクリーニングぺーパの幅に応じて前記吸入溝の上端開口を閉鎖する部分の長さを調整することで前記クリーニング部材の長さを調整するようにしたものである。
【００１０】
このように、使用するクリーニングぺーパの幅に応じて吸入溝の上端開口を閉鎖する部分の長さを調整可能に構成すれば、小さいサイズの回路基板等をスクリーン印刷する場合は、吸入溝の上端開口の長さを短くして幅の狭いクリーニングぺーパを使用することが可能となり、クリーニングぺーパの無駄を低減できる。しかも、吸入溝の長さを短くしても、その短くした部分の上端開口を閉鎖できるため、クリーニング時に吸入圧が逃げることを防止できて、十分なクリーニング能力を確保できる。
【００１１】
本発明は、請求項２のように、吸入溝に沿って設ける部材を複数の分割部材に分割しても良い。この場合、複数の分割部材のうち、吸入溝の端の方に位置する少なくとも１つの分割部材を取り外して別の閉鎖部材に付け替えることで、吸入溝の上端開口を閉鎖する部分の長さを調整するようにしても良い。
【００１２】
或は、請求項３のように、複数の分割部材のうち、吸入溝の端の方に位置する少なくとも１つの分割部材の取付方向を変更することで吸入溝の上端開口を閉鎖する部分の長さを調整するようにしても良い。このようにすれば、吸入溝の上端開口を閉鎖する部分を別部品として設ける必要がなく、部品点数削減・低コスト化の要求を満たすことができると共に、分割部材で吸入溝の上端開口を閉鎖しない場合でも、当該分割部材の取付方向を変更して当該分割部材を吸入溝形成部材として使用するため、当該分割部材の紛失を防止できる。
【００１３】
具体的には、請求項４のように、２本のクリーニング部材の間に吸入溝を形成し、一方のクリーニング部材を支持する支持部材を、複数の分割部材に分割すると共に、吸入溝の端の方に位置する少なくとも１つの分割部材の取付方向を、吸入溝を形成する第１の取付方向と、吸入溝のうちの分割部材の長さ分を閉鎖する第２の取付方向とに変更可能に構成し、分割部材の取付方向を前記第１の取付方向と前記第２の取付方向のいずれかに変更することで、吸入溝の上端開口を閉鎖する部分の長さを調整するようにしても良い。このようにすれば、分割部材の取付方向を変更するだけで、簡単に吸入溝の上端開口を閉鎖する部分の長さを調整することができる。
【図面の簡単な説明】
【００１４】
【図１】図１は本発明の一実施例を示すクリーニングヘッドの縦断面図である。
【図２】図２は吸入溝の長さを短くしたときのクリーニングヘッドの縦断面図である。
【図３】図３はクリーニングヘッドの外観斜視図である。
【図４】図４（ａ）、（ｂ）、（ｃ）は、吸入溝の長さを３段階に調整する方法を説明するクリーニングヘッドの主要部の斜視図である。
【図５】図５（ａ）は片方のクリーニング部材の平面図、同図（ｂ）は片方のクリーニング部材の側面図である。
【発明を実施するための形態】
【００１５】
以下、本発明を実施するための形態を具体化した一実施例を図１乃至図５を用いて説明する。
まず、スクリーンマスク用クリーニング装置の構成を説明する。
クリーニングヘッド１１は、上向きに開口する吸入溝１２を有し、スクリーンマスク１３の下方に配置されている。スクリーンマスク１３をクリーニングする際には、スクリーンマスク１３の下面にクリーニングぺーパ１４を介してクリーニングヘッド１１を当接させて吸入溝１２から空気を該クリーニングヘッド１１内に吸入することで、スクリーンマスク１３の開口部内やその下面側周辺部分に付着した半田等の印刷材料の残り滓をクリーニングぺーパ１４側に吸引しながら、クリーニングヘッド１１をスクリーンマスク１３の下面に沿って移動させて、スクリーンマスク１３に付着した印刷材料の残り滓をクリーニングぺーパ１４で拭き取る。この際、クリーニングヘッド１１は、吸入溝１２に対して直角方向に移動させる。
【００１６】
クリーニングヘッド１１の内部には、吸入溝１２に沿って延びる空気吸引チャンバ１５が設けられ、吸入溝１２と空気吸引チャンバ１５との間が空気吸引チャンバ１５側に向けて拡開するテーパ部１６によって連通されている。空気吸引チャンバ１５は、空気吸入装置（図示せず）に接続され、スクリーンマスク１３のクリーニング時に空気吸入装置によって空気吸引チャンバ１５内の空気を吸入することで、吸入溝１２から空気をクリーニングヘッド１１の空気吸引チャンバ１５内に吸入する。
【００１７】
本実施例のスクリーンマスク用クリーニング装置は、幅の異なる複数種（例えば３種）のクリーニングぺーパ１４の中から、スクリーン印刷する回路基板等の被印刷物の幅に応じて、使用するクリーニングぺーパ１４の幅を選択すると共に、使用するクリーニングぺーパ１４の幅に応じて吸入溝１２の上端開口の長さを調整可能とするために、吸入溝１２に沿って設ける部材を複数の分割部材Ａ，Ｂ，Ｃに分割し、吸入溝１２の端の方に位置する少なくとも１つの分割部材Ａ，Ｂの取付方向を変更することで吸入溝１２の上端開口を閉鎖する部分の長さを調整して吸入溝１２の上端開口の長さを調整するようにしている。
【００１８】
具体的には、スポンジ等の弾性材料により形成した２本のクリーニング部材１８，１９の間に吸入溝１２を形成し、一方のクリーニング部材１８を支持する支持部材２０を、複数の分割部材Ａ，Ｂ，Ｃに分割すると共に、吸入溝１２の端の方に位置する少なくとも１つの分割部材Ａ，Ｂの取付方向を、図１に示すように吸入溝１２を形成する第１の取付方向と、図２に示すように吸入溝１２のうちの分割部材Ａ，Ｂの長さ分を閉鎖する第２の取付方向とに変更可能に構成し、使用するクリーニングぺーパ１４の幅に応じて、分割部材（Ａのみ又はＡとＢの両方）の取付方向を第１の取付方向から第２の取付方向に変更することで、吸入溝１２の上端開口を閉鎖する部分の長さを調整して吸入溝１２の上端開口の長さを調整するようにしている。
【００１９】
図４（ａ）は、取付方向を変更可能な分割部材Ａ，Ｂの取付方向を全て第１の取付方向にして、吸入溝１２の上端開口の長さを最も長くした状態を示している。クリーニング部材１８，１９は、支持部材２０，２１に上向きに固定した複数本の保持ピン２２，２３と支持部材２０，２１（分割部材Ａ，Ｂ，Ｃ）の装着フランジ２０ａ，２１ａとの間に嵌め込まれて着脱可能に保持されている。支持部材２０，２１の装着フランジ２０ａ，２１ａは隙間を挟んで平行に延び、２つの装着フランジ２０ａ，２１ａ間の隙間が吸入溝１２となる。
【００２０】
装着フランジ２０ａ，２１ａの上端は、クリーニング部材１８，１９の上端よりも少し低くなり、装着フランジ２０ａ，２１ａの上端からクリーニング部材１８，１９の上部が上方に突出している。これは、スクリーンマスク１３のクリーニング時にスクリーンマスク１３に当接するクリーニング部材１８，１９の上部が下方に弾性変形できるようにするためである。支持部材２０，２１は、クリーニングヘッド１１の上面にねじ２４等で取り付けられている。
【００２１】
図４（ｂ）は、吸入溝１２の両端に位置する分割部材Ａの取付方向を第１の取付方向から第２の取付方向に変更して、吸入溝１２の両端から分割部材Ａの長さ分だけ吸入溝１２の上端開口を閉鎖して吸入溝１２の上端開口の長さを短くした状態を示している。この場合、クリーニング部材１８，１９は、消耗品であることを考慮して、分割部材Ａの長さ分だけ切除して使用すれば良い。図２に示すように、第２の取付方向では、分割部材Ａの装着フランジ２０ａをクリーニングヘッド１１の上面に宛がってねじ２４で固定し、分割部材Ａの他面を相手側の支持部材２１の装着フランジ２１ａに突き合わせることで、分割部材Ａの長さ分だけ吸入溝１２の上端開口を閉鎖する。
【００２２】
図４（ｃ）は、吸入溝１２の両端から２つの分割部材Ａ，Ｂの取付方向を第１の取付方向から第２の取付方向に変更して、吸入溝１２の両端から２つの分割部材Ａ，Ｂの長さ分だけ吸入溝１２の上端開口を閉鎖して吸入溝１２の上端開口の長さを最も短くした状態を示している。この場合、クリーニング部材１８，１９は、２つの分割部材Ａ，Ｂの長さ分だけ切除して使用すれば良い。このようにすれば、図４（ａ）〜（ｃ）に示すように、使用するクリーニングぺーパ１４の幅に応じてクリーニング部材１８，１９の長さを調整することができる。
【００２３】
一方のクリーニング部材１８は、四角柱状に形成されているが、他方のクリーニング部材１９は、図５（ａ）に示すように、上方から見て中央部の厚みが大きく、両端の厚みが小さくなるテーパ形状に形成されている。これにより、スクリーンマスク１３のクリーニング時に、図５（ｂ）に示すように、スクリーンマスク１３に当接するクリーニング部材１９の上部の変形量が両端側ほど容易に大きくなり、クリーニング部材１９の上端面とスクリーンマスク１３との密着性を向上させて、均一なクリーニングを可能とする。
【００２４】
尚、一方のクリーニング部材１８も、他方のクリーニング部材１９と同様のテーパ形状に形成しても良いし、その反対に、両方のクリーニング部材１８，１９を四角柱状に形成しても良い。
【００２５】
以上説明した本実施例によれば、幅の異なる複数種（例えば３種）のクリーニングぺーパ１４の中から、スクリーン印刷する回路基板等の幅に応じて、使用するクリーニングぺーパ１４の幅を選択すると共に、使用するクリーニングぺーパ１４の幅に応じて、吸入溝１２の端の方に位置する２つの分割部材Ａ，Ｂの取付方向を、吸入溝１２を形成する第１の取付方向と、吸入溝１２のうちの分割部材Ａ，Ｂの長さ分を閉鎖する第２の取付方向のいずれかに変更することで、吸入溝１２の上端開口を閉鎖する部分の長さを調整して吸入溝１２の上端開口の長さを調整することができるため、小さいサイズの回路基板等をスクリーン印刷する場合は、吸入溝１２の上端開口の長さを短くして幅の狭いクリーニングぺーパ１４を使用することが可能となり、クリーニングぺーパ１４の無駄を低減できる。しかも、吸入溝１２の長さを短くしても、その短くした部分の上端開口を閉鎖できるため、クリーニング時に吸入圧が逃げることを防止できて、十分なクリーニング能力を確保できる。
【００２６】
しかも、本実施例では、吸入溝１２に沿って設ける支持部材２０を複数の分割部材Ａ，Ｂ，Ｃに分割し、吸入溝１２の端の方に位置する少なくとも１つの分割部材Ａ，Ｂの取付方向を変更することで吸入溝１２の上端開口を閉鎖する部分の長さを調整するようにしたので、吸入溝１２の上端開口を閉鎖する部分を別部品として設ける必要がなく、部品点数削減・低コスト化の要求を満たすことができると共に、分割部材Ａ，Ｂで吸入溝１２の上端開口を閉鎖しない場合でも、当該分割部材Ａ，Ｂの取付方向を変更して当該分割部材Ａ，Ｂを吸入溝形成部材として使用するため、当該分割部材Ａ，Ｂの紛失を防止できる。
【００２７】
但し、本発明は、クリーニングぺーパ１４の幅に応じて吸入溝１２を閉鎖する部分を別部品として設けるようにしても良い。具体的には、吸入溝１２を閉鎖する部分を複数の分割部材に分割して、吸入溝の端の方に位置する少なくとも１つの分割部材を取り外して別の閉鎖部材に付け替えることで、吸入溝を閉鎖する部分の長さを調整するようにしても良い。
【００２８】
また、本発明は、吸入溝１２の長さを３段階に調整するようにしたが、２段階又は４段階以上に調整できるように構成しても良い。
その他、本発明は、クリーニング部材１８，１９の保持構造を変更したり、分割部材Ａ，Ｂの形状や取付構造を変更しても良い等、要旨を逸脱しない範囲内で種々変更して実施できる。
【符号の説明】
【００２９】
１１…クリーニングヘッド、１２…吸入溝、１３…スクリーンマスク、１４…クリーニングぺーパ、１５…空気吸引チャンバ、１８，１９…クリーニング部材、２０，２１…支持部材、２０ａ，２１ａ…装着フランジ、２２，２３…保持ピン、２４…ねじ
【図１】
0005594864.tif 000002
【図２】
0005594864.tif 000003
【図３】
0005594864.tif 000004
【図４】
0005594864.tif 000005
【図５】
0005594864.tif 000006